(57)【要約】【課題】本発明の課題は、ワイヤクリップにより保護キャップを取り付けた光コネクタを牽引することにより、簡単な構成で作業性よくコネクタ付光ファイバコードを牽引するコネクタ付光ファイバコード牽引治具を提供することにある。【解決手段】本発明は、コネクタ付光ファイバコードを配線する際にコネクタ付光ファイバコードを牽引する治具であって、コネクタ付光ファイバコードの一端に取り付けられたＳＣコネクタ本体１０の先端部分を保護するキャップ１２と、ＳＣコネクタ本体１０と保護キャップ１２を固定するワイヤクリップ１３で構成され、ワイヤクリップ１３に回動自在に設けられた、牽引索１９が取り付けられる牽引索取付部１１を具備することを特徴とするものである。【選択図】      図１
2008170470.tif 000002
【特許請求の範囲】
【請求項１】
光ファイバコードの端部に光コネクタが設けられたコネクタ付光ファイバコードを配線する際にコネクタ付光ファイバコードを牽引するためのコネクタ付光ファイバコード牽引治具であって、
コネクタ付光ファイバコードの光コネクタ先端部に配置された保護キャップと、
前記コネクタ付光ファイバコードの光コネクタと前記保護キャップを固定するワイヤクリップと、
前記ワイヤクリップに回動自在に設けられ、牽引索が取り付けられる牽引索取付部と
を具備することを特徴とするコネクタ付光ファイバコード牽引治具。
【請求項２】
保護キャップとして、ワイヤクリップの一部を挿入するための溝が設けられた保護キャップを用いることを特徴とする請求項１に記載のコネクタ付光ファイバコード牽引治具。
【請求項３】
保護キャップとして、コネクタ付光ファイバコードの光コネクタの両側面に設けられた溝にそれぞれ嵌合されるアーム部を一体に有する保護キャップを用いることを特徴とする請求項１又は２に記載のコネクタ付光ファイバコード牽引治具。
【請求項４】
ワイヤクリップとして、保護キャップの先端面及びアーム部外面、光コネクタの上面及び後端面に当接されるワイヤクリップを用いることを特徴とする請求項３に記載のコネクタ付光ファイバコード牽引治具。
【請求項５】
ワイヤクリップとして、コネクタ付光ファイバコードの光コネクタハウジングとブーツの間に掛けられる爪部を両端部に有するＵ字状のワイヤクリップを用いることを特徴とする請求項１乃至３のいずれかに記載のコネクタ付光ファイバコード牽引治具。
【請求項６】
ワイヤクリップとして、２つの長方形のそれぞれ一方の短辺を共通として共通部としたＶ字状のワイヤクリップを用いることを特徴とする請求項１乃至３のいずれかに記載のコネクタ付光ファイバコード牽引治具。
【請求項７】
光ファイバコードの端部に光コネクタが設けられたコネクタ付光ファイバコードを配線する際にコネクタ付光ファイバコードを牽引するためのコネクタ付光ファイバコード牽引治具であって、
コネクタ付光ファイバコードの光コネクタ先端部に配置された保護キャップと、
前記コネクタ付光ファイバコードの光コネクタと前記保護キャップを固定する複数のＵ字状のワイヤクリップと、
前記保護キャップに回動自在に設けられ、牽引索が取り付けられる牽引索取付部と
を具備することを特徴とするコネクタ付光ファイバコード牽引治具。
【請求項８】
ワイヤクリップとして、ばね材よりなるワイヤクリップを用いることを特徴とする請求項１乃至７のいずれかに記載のコネクタ付光ファイバコード牽引治具。
【請求項９】
請求項１乃至８のいずれかに記載のコネクタ付光ファイバコード牽引治具を用い、ワイヤクリップにより保護キャップをコネクタ付光ファイバコードの光コネクタに取り付けて後、コネクタ付光ファイバコードに牽引索取付部を介して牽引索を接続し、その後、牽引索によりコネクタ付光ファイバコードを牽引することを特徴とするコネクタ付光ファイバコード牽引方法。
【発明の詳細な説明】
【技術分野】
【０００１】
本発明は、光ファイバコードの端部に光コネクタが設けられたコネクタ付光ファイバコードを、例えば屋内の配管等に布設・配線する際にコネクタ付光ファイバコードを牽引するためのコネクタ付光ファイバコード牽引治具及び方法に関するものである。
【背景技術】
【０００２】
光ファイバコードを布設・配線を行う場合には、配線を行うルートあるいは配管にあらかじめ牽引索、すなわちロープやワイヤを布設しておき、その牽引索と布設を行う光ファイバコードを結合し、牽引索を巻き取ることにより光ファイバコードが布設される。
【０００３】
近年は光ファイバコードの先端に光コネクタがついた状態で布設するものも提案されている。光ファイバの牽引装置としては、特許文献１のようなものがある。
【０００４】
従来の牽引索と光ファイバコードとの接続に用いる牽引用具においては、ＳＣ（Ｓｉｎｇｌｅ  ｆｉｂｅｒ  Ｃｏｕｐｌｉｎｇ）コネクタの把持に係止片を用いる方法であるため、部材数が多く、結果として管路径に対して長く、大きい物となり、管路の凹凸部分や曲がりの部分にて掛かりにより牽引が困難になり、またそれにより、光コネクタ部分及び光ファイバが破損する可能性もあった。また、牽引治具を構成する部品点数が多く、かつ高価な材質や高価な加工方法が求められるものであり、コストが高くなるという問題点があった。
【０００５】
さらに、光コネクタハウジングの突起部に牽引治具を掛けて光ファイバコードを牽引するという方法は、突起部への負荷が大きくなり、光コネクタハウジングが破損する可能性があるのと、それによる牽引時の安定性を欠くという問題があった。
【０００６】
【特許文献１】特開平９−１２７３４５号公報
【発明の開示】
【発明が解決しようとする課題】
【０００７】
本発明は上記の事情に鑑みてなされたもので、ワイヤクリップにより保護キャップを光コネクタ先端部に容易に取り付けることができ、保護キャップにより光コネクタ先端部の破損を防止し、且つワイヤクリップにより保護キャップが取り付けられた光コネクタを牽引することにより、簡単な構成で作業性よくコネクタ付光ファイバコードを牽引することができ、コネクタ付光ファイバコードの布設・配線作業の作業性を向上できると共に、部品点数を少なくして小型化・細径化を行い得るコネクタ付光ファイバコード牽引治具及び方法を提供することを目的とする。
【課題を解決するための手段】
【０００８】
上記目的を達成するために本発明は、光ファイバコードの端部に光コネクタが設けられたコネクタ付光ファイバコードを配線する際にコネクタ付光ファイバコードを牽引するためのコネクタ付光ファイバコード牽引治具であって、コネクタ付光ファイバコードの光コネクタ先端部に配置された保護キャップと、前記コネクタ付光ファイバコードの光コネクタと前記保護キャップを固定するワイヤクリップと、前記ワイヤクリップに回動自在に設けられ、牽引索が取り付けられる牽引索取付部とを具備することを特徴とするものである。
【０００９】
また本発明は、前記コネクタ付光ファイバコード牽引治具において、保護キャップとして、ワイヤクリップの一部を挿入するための溝が設けられた保護キャップを用いることを特徴とするものである。
【００１０】
また本発明は、前記コネクタ付光ファイバコード牽引治具において、保護キャップとして、コネクタ付光ファイバコードの光コネクタの両側面に設けられた溝にそれぞれ嵌合されるアーム部を一体に有する保護キャップを用いることを特徴とするものである。
【００１１】
また本発明は、前記コネクタ付光ファイバコード牽引治具において、ワイヤクリップとして、保護キャップの先端面及びアーム部外面、光コネクタの上面及び後端面に当接されるワイヤクリップを用いることを特徴とするものである。
【００１２】
また本発明は、前記コネクタ付光ファイバコード牽引治具において、ワイヤクリップとして、コネクタ付光ファイバコードの光コネクタハウジングとブーツの間に掛けられる爪部を両端部に有するＵ字状のワイヤクリップを用いることを特徴とするものである。
【００１３】
また本発明は、前記コネクタ付光ファイバコード牽引治具において、ワイヤクリップとして、２つの長方形のそれぞれ一方の短辺を共通として共通部としたＶ字状のワイヤクリップを用いることを特徴とするものである。
【００１４】
また本発明は、光ファイバコードの端部に光コネクタが設けられたコネクタ付光ファイバコードを配線する際にコネクタ付光ファイバコードを牽引するためのコネクタ付光ファイバコード牽引治具であって、コネクタ付光ファイバコードの光コネクタ先端部に配置された保護キャップと、前記コネクタ付光ファイバコードの光コネクタと前記保護キャップを固定する複数のＵ字状のワイヤクリップと、前記保護キャップに回動自在に設けられ、牽引索が取り付けられる牽引索取付部とを具備することを特徴とするものである。
【００１５】
また本発明は、前記コネクタ付光ファイバコード牽引治具において、ワイヤクリップとして、ばね材よりなるワイヤクリップを用いることを特徴とするものである。
【００１６】
また本発明のコネクタ付光ファイバコード牽引方法は、前記コネクタ付光ファイバコード牽引治具を用い、ワイヤクリップにより保護キャップをコネクタ付光ファイバコードの光コネクタに取り付けて後、コネクタ付光ファイバコードに牽引索取付部を介して牽引索を接続し、その後、牽引索によりコネクタ付光ファイバコードを牽引することを特徴とする。
【発明の効果】
【００１７】
本発明のコネクタ付光ファイバコード牽引治具及び方法は、ワイヤクリップにより保護キャップを光コネクタ先端部に容易に取り付けることができ、保護キャップにより光コネクタ先端部の破損を防止し、且つワイヤクリップにより保護キャップが取り付けられた光コネクタを牽引することにより、簡単な構成で作業性よくコネクタ付光ファイバコードを牽引することができ、コネクタ付光ファイバコードの布設・配線作業の作業性を向上できると共に、部品点数を少なくして小型化・細径化を行うことができる。
【発明を実施するための最良の形態】
【００１８】
以下図面を参照して本発明の実施の形態を詳細に説明する。本発明の実施の形態では光コネクタの一例としてＳＣコネクタを用いて説明する。
【００１９】
図１は本発明の第１の実施形態に係るコネクタ付光ファイバコード牽引治具を示す斜視図、図２（ａ）は本発明の第１の実施形態に係るコネクタ付光ファイバコード牽引治具の保護キャップを示す斜視図、図２（ｂ）は本発明の第１の実施形態に係るコネクタ付光ファイバコード牽引治具のワイヤクリップを示す斜視図、図３は本発明の第１の実施形態に係るコネクタ付光ファイバコード牽引治具の使用方法を示す説明図である。
【００２０】
図１〜図３において、１０はＳＣコネクタ本体、１１は牽引索取付部、１２は保護キャップ、１３はワイヤクリップ、１４はブーツ、１５はワイヤクリップ固定溝、１６はアーム部、１７は上部つまみ部、１８は光ファイバコード、１９は牽引索である。
【００２１】
図１に示すように、光ファイバコード１８の一端にはＳＣコネクタ本体１０及びブーツ１４が取り付けられてコネクタ付光ファイバコードが構成される。前記ＳＣコネクタ本体１０の先端部には保護キャップ１２が配置され、前記保護キャップ１２とＳＣコネクタ本体１０はワイヤクリップ１３により固定される。前記ワイヤクリップ１３の先端中央部には牽引索取付部１１が回動自在にして取り付けられ、前記牽引索取付部１１には例えばロープもしくはワイヤ等の牽引索１９が取り付けられる。
【００２２】
前記保護キャップ１２は、図２（ａ）に示すように、先端面に丸みをもたせたかまぼこ状の保護キャップ本体の先端部にワイヤクリップ固定溝１５が軸方向に設けられると共に、前記かまぼこ状の保護キャップ本体の両側後端部にそれぞれ板状のアーム部１６が左右対称に一体に突出して設けられる。
【００２３】
前記ワイヤクリップ１３は、図２（ｂ）に示すように、ループ状のばね材よりなる線材を曲げて形成される。
【００２４】
すなわち、図１に示すように、ＳＣコネクタ本体１０の先端部両側面には左右対称に溝が設けられ、前記ＳＣコネクタ本体１０の先端部両側面の溝には保護キャップ１２のアーム部１６が挿入されてＳＣコネクタ本体１０と保護キャップ１２が嵌合する。その後、ワイヤクリップ１３が保護キャップ１２のワイヤクリップ固定溝１５に挿入されと共に、保護キャップ１２のアーム部１６外面、ＳＣコネクタ本体１０の上面及び後端面に当接されるようにして取り付けられる。前記ワイヤクリップ１３には牽引索取付部１１が回動自在に取り付けられ、縒り戻しを一体化させる。前記牽引索取付部１１には例えばロープもしくはワイヤ等の牽引索１９が取り付けられる。
【００２５】
前記ワイヤクリップ１３がＳＣコネクタ本体１０と保護キャップ１２に取り付けられる方法を説明すると、先ず、保護キャップ１２をＳＣコネクタ本体１０の先端から挿入する。次に、図２（ｂ）及び図３に示すように、ワイヤクリップ１３の上部つまみ部１７を矢印方向へ広げ、ＳＣコネクタ本体１０に対し下部側から上部側方向に向けて取り付ける。ばね材よりなるワイヤクリップ１３の変形は元の状態に戻るので、ワイヤクリップ１３のＳＣコネクタ本体１０への取り付け後、上部つまみ部１７の復元によってワイヤクリップ１３からＳＣコネクタ本体１０が脱落しないように固定できる。また、ワイヤクリップ１３は、保護キャップ１２に設けられたワイヤクリップ固定溝１５によって、コネクタ付光ファイバコードの牽引時に引っ張り力が加わっても、ＳＣコネクタ本体１０からずれないように固定できる。ＳＣコネクタ本体１０から牽引治具を取り外す場合はワイヤクリップ１３の上部つまみ部１７を矢印方向へ広げることで固定が解除され、ワイヤクリップ１３をＳＣコネクタ本体１０の下部方向に取り外すことができる。
【００２６】
また、牽引索取付部１１は縒り戻しを一体化させ、配線時に生じた縒りを牽引索取付部１１の回転によって随時解消できるように、回動自在な構造となっている。
【００２７】
図４は本発明の第２の実施形態に係るコネクタ付光ファイバコード牽引治具を示す斜視図、図５は本発明の第２の実施形態に係るコネクタ付光ファイバコード牽引治具を示す断面側面図、図６は本発明の第２の実施形態に係るコネクタ付光ファイバコード牽引治具の保護キャップを示す斜視図である。
【００２８】
図４〜図６において、２０はＳＣコネクタ本体、２１は牽引索取付部、２２は保護キャップ、２３はワイヤクリップ、２４はブーツ、２５はワイヤクリップ固定溝、２６はアーム部、２７は爪部、２８は光ファイバコード、２９は牽引索である。
【００２９】
図４に示すように、光ファイバコード２８の一端にはＳＣコネクタ本体２０及びブーツ２４が取り付けられてコネクタ付光ファイバコードが構成される。前記ＳＣコネクタ本体２０の先端部には保護キャップ２２が配置され、前記保護キャップ２２とＳＣコネクタ本体２０はワイヤクリップ２３により固定される。前記ワイヤクリップ２３の先端中央部には牽引索取付部２１が回動自在にして取り付けられ、前記牽引索取付部２１には例えばロープもしくはワイヤ等の牽引索２９が取り付けられる。
【００３０】
前記保護キャップ２２は、図６に示すように、先端面の各稜線に丸みをもたせた直方体状の保護キャップ本体の先端面にワイヤクリップ固定溝２５が略対角線に設けられると共に、前記保護キャップ本体の両側後端部にそれぞれ板状のアーム部２６が左右対称に一体に突出して設けられる。
【００３１】
前記ワイヤクリップ２３は、図４及び図５に示すように、Ｕ字状のばね材よりなる線材で形成され、ワイヤクリップ２３の両端部にはＳＣコネクタ本体２０の光コネクタハウジングとブーツ２４の間に掛けられる爪部２７が設けられる。
【００３２】
すなわち、図４〜図６に示すように、ＳＣコネクタ本体２０の先端部両側面には左右対称に溝が設けられ、前記ＳＣコネクタ本体２０の先端部両側面の溝には保護キャップ２２のアーム部２６が挿入されてＳＣコネクタ本体２０と保護キャップ２２が嵌合する。その後、ワイヤクリップ２３が保護キャップ２２のワイヤクリップ固定溝２５に挿入されと共に、保護キャップ２２の上面及びＳＣコネクタ本体２０の上面、保護キャップ２２の下面及びＳＣコネクタ本体２０の下面に当接されるようにし、爪部２７をＳＣコネクタ本体２０の光コネクタハウジングとブーツ２４の間に掛けられて取り付けられる。前記ワイヤクリップ２３には牽引索取付部２１が回動自在に取り付けられ、縒り戻しを一体化させる。前記牽引索取付部２１には例えばロープもしくはワイヤ等の牽引索２９が取り付けられる。
【００３３】
前記ワイヤクリップ２３がＳＣコネクタ本体２０と保護キャップ２２に取り付けられる方法を説明すると、先ず、保護キャップ２２をＳＣコネクタ本体２０の先端から挿入する。次に、図４〜図６に示すように、ワイヤクリップ２３の中央部を保護キャップ２２のワイヤクリップ固定溝２５に挿入して後、ワイヤクリップ２３の爪部２７をＳＣコネクタ本体２０の光コネクタハウジングとブーツ２４の間に掛けることにより、ワイヤクリップ２３がＳＣコネクタ本体２０と保護キャップ２２に取り付けられる。
【００３４】
図７は本発明の第３の実施形態に係るコネクタ付光ファイバコード牽引治具を示す斜視図、図８は本発明の第３の実施形態に係るコネクタ付光ファイバコード牽引治具のワイヤクリップを示す斜視図、図９は本発明の第３の実施形態に係るコネクタ付光ファイバコード牽引治具の保護キャップを示す斜視図である。
【００３５】
図７〜図９において、３０はＳＣコネクタ本体、３１は牽引索取付部、３２は保護キャップ、３３はワイヤクリップ、３４はブーツ、３５はワイヤクリップ固定溝、３６はアーム部、３７は共通部、３８は光ファイバコード、３９は牽引索である。
【００３６】
図７に示すように、光ファイバコード３８の一端にはＳＣコネクタ本体３０及びブーツ３４が取り付けられてコネクタ付光ファイバコードが構成される。前記ＳＣコネクタ本体３０の先端部には保護キャップ３２が配置され、前記保護キャップ３２とＳＣコネクタ本体３０はワイヤクリップ３３により固定される。前記ワイヤクリップ３３の先端部には牽引索取付部３１が回動自在にして取り付けられ、前記牽引索取付部３１には例えばロープもしくはワイヤ等の牽引索３９が取り付けられる。
【００３７】
前記ワイヤクリップ３３は、図８に示すように、２つの長方形のそれぞれ一方の短辺を共通にして共通部３７としたＶ字状のばね材よりなる線材で形成される。
【００３８】
前記保護キャップ３２は、図９に示すように、先端面の各稜線に丸みをもたせた直方体状の保護キャップ本体の先端面にワイヤクリップ固定溝３５が略垂直に設けられると共に、前記保護キャップ本体の両側後端部にそれぞれ板状のアーム部３６が左右対称に一体に突出して設けられる。
【００３９】
すなわち、図７〜図９に示すように、ＳＣコネクタ本体３０の先端部両側面には左右対称に溝が設けられ、前記ＳＣコネクタ本体３０の先端部両側面の溝には保護キャップ３２のアーム部３６が挿入されてＳＣコネクタ本体３０と保護キャップ３２が嵌合する。その後、ワイヤクリップ３３の２つの長方形部に保護キャップ３２及びＳＣコネクタ本体３０の両側面が挿入されると共に、ワイヤクリップ３３の共通部３７が保護キャップ３２のワイヤクリップ固定溝３５に挿入されて、ワイヤクリップ３３が保護キャップ３２及びＳＣコネクタ本体３０に取り付けられる。前記ワイヤクリップ３３の共通部３７には牽引索取付部３１が回動自在に取り付けられ、縒り戻しを一体化させる。前記牽引索取付部３１には例えばロープもしくはワイヤ等の牽引索３９が取り付けられる。
【００４０】
図１０は本発明の第４の実施形態に係るコネクタ付光ファイバコード牽引治具を示す斜視図、図１１（ａ），（ｂ）は本発明の第４の実施形態に係るコネクタ付光ファイバコード牽引治具のワイヤクリップを示す上面図、図１２は本発明の第４の実施形態に係るコネクタ付光ファイバコード牽引治具の保護キャップを示す斜視図である。
【００４１】
図１０〜図１２において、４０はＳＣコネクタ本体、４１は牽引索取付部、４２は保護キャップ、４３はワイヤクリップ、４４はブーツ、４５はワイヤクリップ固定溝、４６はアーム部、４７は取付孔、４８は光ファイバコード、４９は牽引索、５０は取付部、５１はワイヤクリップ取付穴である。
【００４２】
図１０に示すように、光ファイバコード４８の一端にはＳＣコネクタ本体４０及びブーツ４４が取り付けられてコネクタ付光ファイバコードが構成される。前記ＳＣコネクタ本体４０の先端部には保護キャップ４２が配置され、前記保護キャップ４２とＳＣコネクタ本体４０はワイヤクリップ４３により固定される。前記保護キャップ４２の先端突出部には取付孔４７が設けられ、前記取付孔４７には牽引索取付部４１が回動自在にして取り付けられ、前記牽引索取付部４１には例えばロープもしくはワイヤ等の牽引索４９が取り付けられる。
【００４３】
前記ワイヤクリップ４３は、図１０及び図１１に示すように、複数のＵ字状のばね材よりなる線材で形成されると共に、Ｕ字状線材のそれぞれ端部に取付部５０が折り曲げて形成される。
【００４４】
前記保護キャップ４２は、図１２に示すように、先端面の各稜線に丸みをもたせた直方体状の保護キャップ本体の先端突出部に取付孔４７が設けられ、前記保護キャップ本体の上面及び下面にはそれぞれワイヤクリップ固定溝４５が設けられると共に、前記ワイヤクリップ固定溝４５にはワイヤクリップ取付穴５１がもうけられる。前記保護キャップ本体の両側後端部にそれぞれ板状のアーム部４６が左右対称に一体に突出して設けられる。
【００４５】
すなわち、図１０〜図１２に示すように、ＳＣコネクタ本体４０の先端部両側面には左右対称に溝が設けられ、前記ＳＣコネクタ本体４０の先端部両側面の溝には保護キャップ４２のアーム部４６が挿入されてＳＣコネクタ本体４０と保護キャップ４２が嵌合する。その後、２つのワイヤクリップ４３がそれぞれ保護キャップ４２のワイヤクリップ固定溝４５に挿入されると共に、２つのワイヤクリップ４３端部の取付部５０が保護キャップ４２のワイヤクリップ取付穴５１に回動自在に挿入される。２つのワイヤクリップ４３はそれぞれＳＣコネクタ本体４０の側面を挿入するように回動してＳＣコネクタ本体４０の上面、下面及び後端面に掛けて取り付けられる。このようにして、ワイヤクリップ４３が保護キャップ４２及びＳＣコネクタ本体４０に取り付けられる。前記保護キャップ４２の取付孔４７には牽引索取付部４１が回動自在に取り付けられ、縒り戻しを一体化させる。前記牽引索取付部４１には例えばロープもしくはワイヤ等の牽引索４９が取り付けられる。
【００４６】
尚、コネクタ付光ファイバコード先端部に取り付ける保護キャップは、コネクタ付光ファイバコード牽引時の配管等との接触による光コネクタ先端部の破損を防ぐものであり、かつ、ワイヤクリップ固定溝が設けられたことによりワイヤクリップを固定するためのものである。またワイヤクリップは、ばね材を使用することにより、変形させても元の状態に戻ることを特徴とし、保護キャップと光コネクタハウジングを嵌合させる際は、変形により嵌合位置に設置することができ、設置後は嵌合力を保持できるものである。
【００４７】
以上のように、各実施形態のいずれかのコネクタ付光ファイバコード牽引治具を用い、ワイヤクリップにより保護キャップをコネクタ付光ファイバコードの光コネクタに取り付けて後、コネクタ付光ファイバコードに牽引索取付部を介して牽引索を接続し、その後、牽引索によりコネクタ付光ファイバコードを牽引する。これにより、コネクタ付光ファイバコードの光コネクタと嵌合する部品点数を少なくし、かつ、それぞれの部品の材質・製造方法を安価にできる。また、ワイヤクリップで光コネクタハウジングを固定することにより、牽引時の安定性も向上できる。さらに、コネクタ付光ファイバコードの布設・配線作業の経済性・作業性を向上できる効果がある。すなわち、コネクタ付光ファイバコードの光コネクタと接続するための光コネクタ接続部を新規の把持方法により小型化・細径化を行い、管路の凹凸部分や曲がりの部分での掛かりを防ぎ、コネクタ付光ファイバコードの布設・配線作業の作業性を向上できると共に、治具を構成する部品点数を少なくし、かつ、安価な材質で安価な製造方法で製作できる。
【００４８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４９】
【図１】本発明の第１の実施形態に係るコネクタ付光ファイバコード牽引治具を示す斜視図である。
【図２】（ａ）は本発明の第１の実施形態に係るコネクタ付光ファイバコード牽引治具の保護キャップを示す斜視図、（ｂ）は本発明の第１の実施形態に係るコネクタ付光ファイバコード牽引治具のワイヤクリップを示す斜視図である。
【図３】本発明の第１の実施形態に係るコネクタ付光ファイバコード牽引治具の使用方法を示す説明図である。
【図４】本発明の第２の実施形態に係るコネクタ付光ファイバコード牽引治具を示す斜視図である。
【図５】本発明の第２の実施形態に係るコネクタ付光ファイバコード牽引治具を示す断面側面図である。
【図６】本発明の第２の実施形態に係るコネクタ付光ファイバコード牽引治具の保護キャップを示す斜視図である。
【図７】本発明の第３の実施形態に係るコネクタ付光ファイバコード牽引治具を示す斜視図である。
【図８】本発明の第３の実施形態に係るコネクタ付光ファイバコード牽引治具のワイヤクリップを示す斜視図である。
【図９】本発明の第３の実施形態に係るコネクタ付光ファイバコード牽引治具の保護キャップを示す斜視図である。
【図１０】本発明の第４の実施形態に係るコネクタ付光ファイバコード牽引治具を示す斜視図である。
【図１１】（ａ），（ｂ）は本発明の第４の実施形態に係るコネクタ付光ファイバコード牽引治具のワイヤクリップを示す上面図である。
【図１２】本発明の第４の実施形態に係るコネクタ付光ファイバコード牽引治具の保護キャップを示す斜視図である。
【符号の説明】
【００５０】
１０…ＳＣコネクタ本体、１１…牽引索取付部、１２…保護キャップ、１３…ワイヤクリップ、１４…コネクタブーツ、１５…ワイヤクリップ固定溝、１６…アーム部、１７…上部つまみ部、１８…光ファイバコード、１９…牽引索。
【図１】
2008170470.tif 000003
【図２】
2008170470.tif 000004
【図３】
2008170470.tif 000005
【図４】
2008170470.tif 000006
【図５】
2008170470.tif 000007
【図６】
2008170470.tif 000008
【図７】
2008170470.tif 000009
【図８】
2008170470.tif 000010
【図９】
2008170470.tif 000011
【図１０】
2008170470.tif 000012
【図１１】
2008170470.tif 000013
【図１２】
2008170470.tif 000014